(57)【特許請求の範囲】
【請求項１】
小火器用の安全機構であって、該安全機構は以下：
Ａ．実質的に円筒形の安全装置ボタン（１）であって、該ボタンは、第１の端部および第２の端部を有し、かつ以下：
ｉ．  該ボタン（１）の実質的に長手方向の軸に沿って形成されたロック開口部（２）であって、該ボタンの第１の端部に形成された雌型受容端部（２Ａ）を備える、ロック開口部；
ｉｉ．  該ボタンの第１の端部と第２の端部との間の該ボタンの表面に形成された、受容切り欠き（４）；
ｉｉｉ．  該ボタンの第１の端部と第２の端部との間の該ボタンの表面に形成されたプランジャー開口部（５）であって、該ボタンの中心軸に向かって該ボタンの長手方向の軸に対して実質的に横軸方向に伸び、そして実質的に長手方向のロック開口部（２）と接続され、実質的に横軸方向のプランジャーチャネルに作動可能に接続される、プランジャー開口部（５）；
ｉｖ．  該実質的に横軸方向のプランジャーチャネル（６）が、実質的に長手方向のプランジャーチャネル（７）の第１の部分に作動可能に連結されている、実質的に横軸方向のプランジャーチャネル（６）；
ｖ．該実質的に長手方向のプランジャーチャネル（７）が、該第１の部分（７Ａ）および作動可能に接続した第２の部分（７Ｂ）を備え、各部分が、移動止め表面（７Ｃ）により隔てられる、実質的に長手方向のプランジャーチャネルの第１の部分；
を備える、安全装置ボタン；
ｖｉ．安全装置ボタン（１）の端部の１つに形成された回転式位置インジケーター（６０）；
Ｂ．移動止めプランジャー（２０）；
Ｃ．該安全装置ボタン（１）に向かって、かつ該移動止めプランジャー（２０）が該プランジャー開口部（５）、該実質的に長手方向のプランジャーチャネル（７）、および該実質的に横軸方向のプランジャーチャネル（６）の１つと相互作用する位置へと、該移動止めプランジャーを付勢させるための手段；および
Ｄ．該安全装置ボタン（１）のロック開口部（２）の雌型受容端部（２Ａ）への挿入に適合したロック手段であって、ここで、該ロック手段は、該雌型受容端部（２Ａ）に挿入した場合に、該プランジャー開口部（５）と相互作用するのに適合した、ロック手段；
を備える、安全機構。
【請求項２】
前記回転式位置インジケーター（６０）が、雌型受容端部（２Ａ）の反対の端部に形成される、請求項１に記載の安全機構。
【請求項３】
前記ロック手段が鍵（５０）である、請求項１に記載の安全機構。
【請求項４】
前記鍵（５０）が、実質的に「Ｊ」型の断面を有する、請求項３に記載の安全機構。
【請求項５】
前記鍵（５０）が、該鍵（５０）が前記ロック開口部（２）に挿入される場合に、前記移動止めプランジャー（２０）を押して、前記安全装置ボタン（１）から離すのに適合した、傾斜した先端部を有する、請求項３に記載の安全機構。
【請求項６】
前記ロック手段が、該ロック手段が前記雌型受容端部（２Ａ）に完全に挿入される場合にのみ、前記プランジャー開口部（５）と相互作用するのに適合した、請求項１に記載の安全機構。
【請求項７】
前記ボタンに形成される、横軸方向式位置インジケーター（３）をさらに備える、請求項１に記載の安全機構。
【請求項８】
小火器用の安全機構であって、以下：
第１の端部と第２の端部を有する本体を備え、安全な位置と発砲位置との間で横軸方向に移動可能であり、かつ安全な位置と安全かつロックされた位置との間で回転可能な、安全装置ボタン（１）；
該安全装置ボタン（１）の本体を通じて延びる実質的に長手方向の軸に沿って形成されたロック開口部（２）であって、該安全装置ボタンの１つの端部に形成された開口部を有する、ロック開口部（２）；
該安全装置ボタン（１）中で該第１の端部と第２の端部との間に形成されたプランジャー開口部（５）であって、該ロック開口部（２）と連絡され、そして該安全装置ボタン（１）が安全位置から、安全かつロック位置まで回転されるように移動止めプランジャー（２０）が受容される、プランジャー開口部（５）；
実質的に横軸方向に伸びるプランジャーチャネル（６）であって、該プランジャー開口部（５）に隣接して形成され、かつ該プランジャー開口部（５）に作動可能に連結される、プランジャーチャネル（６）、および
該横軸方向プランジャーチャネル（６）に連結されている長手方向のプランジャーチャネル（７）であって、それに沿って形成された移動止め表面を含む、プランジャーチャネル（７）；
安全装置ボタン（１）を、該安全かつロックされた位置にロックし、かつ該安全装置ボタン（１）のさらなる移動を防ぐように適合した、移動止めプランジャー（２０）；
該安全装置ボタン（１）の中で該ロック開口部（１２）に隣接して形成された鍵穴を介して受容されるのに適合した鍵（５０）であって、該鍵（５０）は、該移動止めプランジャー（２０）を該安全装置ボタン（１）との係合から引き離すために、該移動止めプランジャー（２０）を勘合して、該安全かつロックされた位置から該安全な位置への該安全装置ボタン（１）の回転を可能にし、それによって、該ロック開口部（１２）内に受容され、そして該移動止めプランジャー（２０）を該安全装置ボタン（１）との係合から移動するために該移動止めプランジャー（２０）と係合するのに適合した、鍵（５０）；
該移動止めプランジャー（２０）を該安全装置ボタン（１）との係合に向かって付勢する手段；および
該安全装置ボタン（１）上の横軸方向式位置インジケーター（３）を備え、ここで該鍵（５０）が、実質的に湾曲した断面形状を有する、安全機構。
【請求項９】
前記安全ボタン（１）の１つの端部に隣接して形成された回転式位置インジケーター（６０）をさらに備える、請求項８に記載の小火器の安全機構。
【請求項１０】
請求項１に記載の安全機構を備える、小火器。
【発明の詳細な説明】
【０００１】
（発明の背景）
本発明は、一般に、小火器用の安全機構に関し、そしてより詳細には、セイフティモードにある場合に発砲を防ぎ、そしてロックモードにある場合に小火器の許可のない使用を防ぐことが可能なロック式安全機構に関する。取り扱いが簡単であり、さらに小火器の許可のない使用を有効に防止するデバイスの絶え間ない必要性、および以前の安全機構に類似し、さらにロック機能もまた提供する様式で操作するデバイスの特別な必要性が存在する。
【０００２】
（発明の要旨）
本発明は、ロック機能も提供し、従って小火器の許可されていない使用をやめさせる手段についての必要性を満足する安全機構を提供する。
【０００３】
詳細には、本発明の１つの実施形態は、小火器における使用のための安全機構を提供し、これは、以下：
Ａ．安全装置ボタンであって、第１の端部および第２の端部ならびに以下：
ｉ．ボタンの第１の端部に形成される雌型受容端部を備えるボタンの実質的長手軸に沿って形成される、ロック開口部；
ｉｉ．ボタンの第１の端部と第２の端部の間でボタンの表面に形成される、受容切欠き；
ｉｉｉ．プランジャー開口部であって、ボタンの第１の端部と第２の端部の間でボタンの表面に形成され、ボタンの中心軸に向かってボタンの長手軸に対して実質的に横軸方向に伸長し、そして実質的に長手軸方向のロック開口部と接続する、プランジャー開口部：
ｉｖ．実質的に横軸方向のプランジャーチャネル：
ｖ．実質的に長手軸方向のプランジャーチャネルの第１の部分であって、この実質的な長手軸方向のプランジャーチャネルが第１の部分および作動可能に接続される第２の部分を備え、それぞれの部分が移動止め表面によって分離される、実質的な長手軸方向のプランジャーチャネルの第１部分、
を備える、安全装置ボタンであって、
このプランジャー開口部が、実質的に横軸方向のプランジャーチャネルに作動可能に接続され、この実質的に横軸方向のプランジャーチャネルが実質的に長手軸方向のプランジャーチャネルの第１部分に作動可能に接続される、安全装置ボタン；
Ｂ．移動止めプランジャー；
Ｃ．移動止めプランジャーを安全装置ボタンに向かって、移動止めプランジャーがプランジャー開口部、実質的長手軸方向のプランジャーチャネルおよび実質的横軸方向のプランジャーチャネルの１つと相互作用する位置に付勢する手段；ならびに
Ｄ．安全装置ボタンのロック開口部の雌型受容端部への挿入に適合された、ロック手段であって、ここで、このロック手段が、雌型受容端部へ挿入される場合、プランジャー開口部と相互作用するように適合される、ロック手段、
を備える。
【０００４】
本発明の別の実施形態において、小火器における使用のための安全機構が提供され、これは、以下：
Ａ．安全装置ボタンであって、第１の端部および第２の端部ならびに以下：
ｉ．ボタンの第１の端部に形成される雌型受容端部を備えるボタンの実質的長手軸に沿って形成される、ロック開口部；
ｉｉ．ボタンの第１の端部と第２の端部の間でボタンの表面に形成される、受容切欠き；
ｉｉｉ．プランジャー開口部であって、ボタンの第１の端部と第２の端部の間でボタンの表面に形成され、ボタンの中心軸に向かってボタンの長手軸に対して実質的に横軸方向に伸長し、そして実質的に長手軸のロック開口部と接続する、プランジャー開口部；
ｉｖ．プランジャーチャネル、
を備える、安全装置ボタンであって、
このプランジャー開口部が、プランジャーチャネルに作動可能に接続される、安全装置ボタン；
Ｂ．移動止めプランジャー；
Ｃ．移動止めプランジャーを安全装置ボタンに向かって、移動止めプランジャーがプランジャー開口部、実質的長手軸方向のプランジャーチャネルおよび実質的横軸方向のプランジャーチャネルの１つと相互作用する位置に付勢するために位置付けられる、スプリング；ならびに
Ｄ．安全装置ボタンのロック開口部の雌型受容端部への挿入に適合された、鍵であって、ここで、この鍵が、雌型受容端部へ挿入される場合、プランジャー開口部と相互作用するように適合される、鍵、
を備える。
【０００５】
本発明のさらなる実施形態において、小火器における使用のための安全機構が提供され、これは、以下：
安全装置ボタンであって、安全位置と発砲位置との間で横軸方向に移動可能であり、そして安全位置と安全かつロックされた位置との間で回転可能な、安全装置ボタン；
移動止めプランジャーであって、安全装置ボタンを安全かつロックされた位置にロックし、そして安全装置ボタンのさらなる移動を妨げるのに適合した、移動止めプランジャー；および
鍵であって、安全装置ボタンに形成される鍵孔を通して受容されるのに適合し、この鍵が、安全かつロックされた位置から安全位置へ安全装置ボタンを回転させ得るために、この安全装置ボタンとの係合からこの移動止めプランジャーを外すように移動させるために移動止めプランジャーを係合するように適合される、鍵、
を備える。
【０００６】
本発明のなお別の実施形態は、安全装置を小火器に提供し、この小火器は以下：
安全装置ボタンであって、小火器の操作を制限するための安全位置と発砲位置との間で横軸方向に可動であり、安全位置と安全かつロックされた位置の間で回転可能であり、そして第１の端部および第２の端部およびこの安全装置ボタンを通って形成されるロック開口部を備える、安全装置ボタン、および
移動止めプランジャーであって、安全装置ボタンが、安全装置ボタンのさらなる回転を制限するためにその安全かつロックされた位置に移動され、そして安全かつロックされた位置から安全位置に安全装置ボタンの回転を妨げるように、その安全かつロックされた位置において安全装置ボタンを維持するために、安全ボタンを係合するように適合された、移動止めプランジャー、
を備える。
【０００７】
（発明の詳細な説明）
本発明は、図面への言及によってより十分に理解される。この図面は、本発明のロック式安全機構の１つの好ましい実施形態を示す。本実施形態のバリエーションおよび変更は、当業者に明らかなように、本発明の原理から逸脱することなく置換され得る。
【０００８】
図に示される安全機構の好ましい実施形態は、米国特許第２，６７５，６３８号（Ｃｒｉｔｔｅｎｄｏｎ）において開示される一般的な型の引き金機構または射撃統制を有する小火器において描写される。Ｃｒｉｔｔｅｎｄｏｎ射撃統制は、Ｒｅｍｉｎｇｔｏｎ  Ａｒｍｓ  Ｃｏｍｐａｎｙ，Ｉｎｃ．から市販されている種々の散弾銃およびライフルを含む広範種々の小火器において使用され得る。当業者に明らかなように、本発明は、引き金機構の他の型を有する小火器において使用さ得れ、そして多くの型の小火器（拳銃、散弾銃またはライフルを含む）において使用され得る。本発明の可能な実施形態の以下の説明において、引き金機構は、トリガー、トリガーアセンブリ、射撃統制または任意の他のデバイスもしくは小火器を機械的に発砲するために操縦者によって活性化されるように設計されるデバイスの組み合わせをいう。
【０００９】
広範種々の小火器において使用するために適合することに加えて、本発明のロック式安全機構の種々の実施形態は、引き金機構に対して小火器において種々の位置に位置され得る。本発明の種々の安全機構の特定の位置は、小火器の型、引き金機構の型、および当業者に明らかである他の考慮に依存して変化する。美的価値観はまた、安全機構をどこに位置するかを決定することにおいて考慮され得る。図において示されるように、安全機構は、引き金の後側に位置され得る。本発明の他の実施形態は、安全機構を引き金の前および上に位置する工程を含む。この引き金は、引き金自体ではなくて、引き金機構の構成の移動をブロックするように位置され得る。このような代替の位置において、安全機構はまた、図において示されるような後端をブロックすること以外に、引き金自体の前端の移動のブロックするように位置され得る。
【００１０】
従って、本発明のロック式安全機構の種々の実施形態は、ほとんどどの小火器においてでも小火器内のほとんどどの位置（ｌｏｃａｔｉｏｎ）または位置（ｐｏｓｉｔｉｏｎ）においてでも組み込まれ得る。さらに、本発明は、このようなブロッケージは、安全尺度および安全標準を十分に適用した限り、射撃統制の任意の部分の移動をブロックするように位置され得る。
【００１１】
本発明の広範な適用性は、本発明の好ましい実施形態の一般的な動作原理の開示、ならびに図１〜１７に示される本発明の好ましい実施形態の開示の結果として当業者により明らかである。図１〜１７において、本発明のロック式安全機構の実施形態は、右利きの操縦者によって使用するのに適合する小火器において示されるが、本発明は、左利きの操縦者に適合する小火器に同等に適用可能である。
【００１２】
本発明の種々の安全機構の機能は、図面に示され、以下に詳細に議論される実施形態を含む、それらの幅広い種々の実施形態に適用可能である一般的な用語で記載され得、これは、当業者に明かである。
【００１３】
本発明の安全機構は、２つの横軸位置の間で可動であり、第１の位置は、安全装置ボタンが引き金機構の移動を妨げ、そして従って引き金が引かれることを妨げる安全位置であり、そして第２の位置は、安全装置ボタンが引き金機構の移動を可能にするために位置される発砲位置である。本発明の安全機構はまた、２つの回転位置の間で可動であり、第１の回転位置は、第１の横軸位置または安全位置であり、そして第２の回転位置は、安全かつロックされた位置である。一旦、安全かつロックされた回転位置になると、安全機構は、鍵手段またはロック手段なしでは回転も移動もし得ない。
【００１４】
図面に示されるように、本発明の安全機構は、４つの基礎的な要素を備える。これらの要素は、図１３に最も良く示され、これは、本明細書中に示される好ましい安全機構の主な要素の展開図である。本発明のロック式安全機構の好ましい実施形態は、安全装置ボタン１、移動止めプランジャー２０、および移動止めプランジャーを安全装置ボタンに付勢するためのプランジャースプリング３０を備える。移動止めプランジャーを安全装置ボタンに付勢するかまたは押す（ｕｒｇｅ）ための他の手段が、スプリングの代わりに使用され得る。プランジャースプリングを適所に固定するためのピン３１がまた、図１３に示される。図１３に示され、図２において想像線の輪郭で示される鍵５０は、好ましいロック手段であるが、他の公知のロック手段がその代わりに使用され得る。
【００１５】
図１〜３に示されるように、安全装置ボタン１は、小火器の引き金ガード４０内、引き金４１の後ろに位置し、移動止めプランジャー２０は、安全装置ボタンの上の引き金ガード内に取り付けられ、ここで、この移動止めプランジャー２０は、スプリング３０によって安全装置ボタンに向かって下向きに付勢され、このスプリングはまた、引き金ガード内に取り付けられ、そしてピン３１によって適所に固定される。
【００１６】
図４〜１２に示されるように、好ましい安全装置ボタン１は、実質的に円柱状であり、ボタンの長手軸に沿って形成されるロック開口部２を備え、これは、図１２においてボタンの断面図で明確に示される。ロック開口部２は、安全装置ボタンの１つの端部に形成される雌型受容端部２Ａを備える。ロック開口部の雌型受容端部は、安全装置ボタンのいずれかの端部に形成され得、そして受容端部の位置は、小火器の構成、および小火器が左手の操作者または右手の操作者による使用に適するかのような他の考慮によって決定される。
【００１７】
受容切欠き４は、図７に最も示されるように、ボタンの２つの端部間の安全装置ボタンにおいて形成される。切欠きは、引き金機構の一部または発砲制御の一部を受容するように適合され、そしてそれによって引き金機構または発砲制御の移動を可能にするように適合される。この切欠きの位置は、小火器の安全装置ボタンの位置およびブロックされる発砲制御または引き金機構の一部によって決定される。ボタンの本発明の実施形態において、切欠きは、片寄って（ｏｆｆｓｅｔ）形成されるが、ボタンの２つの端部の間のボタンの実質的に中心に形成され、ボタンが図１に示されるように発砲位置にある場合、引き金が引かれ得るように位置付けられる。ボタンが第２の横軸位置または発砲位置にある場合、切欠きは、引き金の後面のタブ４２と相互作用するための位置で引き金の後に位置付けられ、引き金が引かれるときこの引き金が旋回し得る。
【００１８】
安全装置ボタンが第１の横軸位置または安全位置にある場合、切欠きは、もはや引き金と整列せず、そして従って、引き金の後ろへの移動が図３に示されるようにボタンによって妨げられる。
【００１９】
プランジャー開口部５が、図８に最も良く示されるように、ボタンの２つの端部の間の安全装置ボタンの表面で形成される。プランジャー開口部５は、その中心軸に向かってボタンの長手軸に対して実質的に横軸方向に伸長し、ここでこのプランジャー開口部５は、ロック開口部２と接続する。プランジャー開口部は、移動止めプランジャー２０との相互作用のために適合される。より詳細には、プランジャー開口部は、安全かつロックされた位置の安全装置ボタンをロックするために移動止めプランジャーの挿入に適合する。図３に示されるように、移動止めプランジャー２０は、安全装置ボタンが安全かつロックされた位置に回転した場合に、スプリング３０によってプランジャー開口部５に押される。安全装置ボタンが安全かつロックされた位置にある場合、切欠き４は、引き金機構にもはや整列せず、従ってボタンは引き金を妨げる。安全かつロックされた位置にある場合、さらなる回転移動が、移動止めプランジャーおよびプランジャー開口部の相互作用によって妨げられ、これはまた、横軸方向への移動を妨げる。図１７に示されるように、移動止めプランジャー２０は、ロック開口部に挿入される場合、鍵５０によってプランジャー開口部５から押される。鍵が挿入され、そして移動止めプランジャーがボタンから離れるようにされ、スプリング３０に対して作動すると、安全装置ボタンは、安全かつロックされた位置から安全位置に回転し得る。安全装置ボタンの回転運動は、以下に記載のように、移動止めプランジャーとプランジャーチャネルとの相互作用によって制限されそしてガイドされる。同様に、安全装置ボタンの横軸方向への移動が、移動止めプランジャーとプランジャーチャネルとの相互作用によって制限されそしてガイドされる。
【００２０】
プランジャー開口部５は、図４および８に最も良く示されるように、実質的に横軸方向のプランジャーチャネル６に作動可能に接続される。横軸方向のプランジャーチャネルは、ボタンの長手軸に対して実質的に横軸方向であり、移動止めプランジャーと相互作用するように適合される。移動止めプランジャー２０と横軸方向のプランジャーチャネル６との相互作用は、安全装置ボタンの回転運動を規定しそして制限する。
【００２１】
横軸方向のプランジャーチャネル６は、図４、５、８および１０に最も良く示されるように、その第１の部分７Ａにおいて長手軸プランジャーチャネル７に作動可能に接続される。長手軸プランジャーチャネル７は、さらに第２の部分７Ｂを備える。移動止め表面７Ｃは、その第１の位置と第２の位置の間の長手軸プランジャーチャネル７において形成される。移動止めプランジャー２０と長手軸プランジャーチャネル７の相互作用は、安全装置ボタンの横軸方向の移動を規定しそして制限する。移動止めプランジャー２０が長手軸プランジャーチャネルの第２の位置７Ｂに位置付けられる場合、安全装置ボタンは発砲位置にある。移動止めプランジャー２０が長手軸プランジャーチャネルの第１の部分７Ａにある場合、安全装置ボタンは、安全位置にあり、そこからそれは安全かつロックされた位置に回転され得る。移動止め表面７Ｃは、移動止めプランジャー２０を長手軸プランジャーチャネルのいずれかの部分に押しやり、そしてプランジャーをそのような位置に明確に保持する。
【００２２】
安全装置ボタンは、発砲位置で図１に示され、受容切欠き４が引き金の一部と整列し、そして引いた場合に引き金が旋回し得るように位置付けられる。安全装置ボタンが図２に示されるラインに沿って押される場合、受容切欠き４は、もはや引き金機構と整列せず、引き金の動きが、切欠きに隣接する、安全装置ボタンの外径によって妨げられる。
【００２３】
図１〜３に示され、特に図２に示されるように、本発明の安全機構の種々の実施形態は、２つの横軸方向位置および２つの回転位置の間で可動である。図３に示されるように、安全装置ボタンは、安全かつロックされた位置にあり、ここで、移動止めプランジャーがプランジャー開口部と相互作用し、そのプランジャー開口部に入る。図１に示されるように、安全装置ボタンは第１の位置にあり、ここで、切欠きが引き金機構の一部と整列し、そして移動止めプランジャーが長手軸プランジャーチャネルの第２位置７Ｂと相互作用する。
【００２４】
本発明の安全機構は、上記のように安全装置ボタンの回転運動ならびに横軸方向の移動を可能にするように構成される。本発明の安全装置ボタンが第１の横軸方向位置にある場合のみ、第１の回転位置と第２の回転位置の間で回転し得る。第１の回転位置（移動止めプランジャーが長手軸プランジャーチャネルの第１の部分と相互作用する）はまた、上記の安全位置に対応する。第２の回転位置（移動止めプランジャーがプランジャー開口部と相互作用しそしてそのプランジャー開口部に入る）は、安全かつロックされた位置である。安全装置ボタンは、移動止めプランジャーおよび横軸方向のプランジャーチャネルの相互作用によってガイドされるように２つの回転位置間で回転し得る。
【００２５】
移動止めプランジャーが長手軸チャネルの第１部分にある場合、小火器は安全位置にあり、安全装置ボタンの回転運動が可能であり、そして移動止めプランジャーが長手軸チャネルの第２位置にある場合、小火器は、発砲位置に対して準備されており、安全装置ボタンの回転運動が可能ではない。
【００２６】
移動止めプランジャーがプランジャー開口部にある場合、安全機構は安全かつロックされた位置にあり、ここで、プランジャーの部分がプランジャー開口部を通ってロック開口部に伸長する。移動止めプランジャーがプランジャー開口部にある場合、安全装置ボタンは、第２の回転位置にあり、小火器の引き金アセンブリは、安全位置にロックされ、作動し得ない。この位置において、安全装置ボタンは、ロック手段が移動止めプランジャーと接触し、そしてそれを安全装置ボタンから離し、このようにしてプランジャー装置内から移動止めプランジャーを取り除き、そして安全装置ボタンが回転するときに、移動止めプランジャーが横軸方向のプランジャーチャネルと相互作用するように安全装置ボタンが回転され得る位置に、ロック手段がロック開口部に挿入されるまで、第１の回転位置に回転され得ない。
【００２７】
図において例示された本発明の実施形態において示された小火器に対する安全装置ボタンの位置は、同様の射撃統制を有する小火器における以前の安全機構の位置に対するその接触性、視認性、および類似性のために、好ましい。この位置はまた、美的理由のため、および小火器の効果的な産生を可能にするために好ましい。なぜなら、本発明の安全機構を適応するための小火器の他の構成の変更を必要としないためである。安全機構の位置は、当業者に明らかであるように改変され得る。例えば、安全装置ボタンは、引き金の回転軸上の位置における引き金の前に位置され得る。従って、引き金の上部の前進運動をブロックし、そして小火器の発砲を誰かが試みることによって後方に引くことから引き金を防ぐ。しかし、本発明の安全機構のこのような位置付けは、射撃統制および引き金に結合するその任意の部分の再位置付けまたは再設計を必要とし得る。
【００２８】
図に示されるように、本発明の好ましい安全装置ボタン１は、実質的に円筒形である。実質的に円筒形は、美的理由のため、および本発明を伝統的な円筒形安全ボルトとともに使用するのにすでに適合されている種々の型の小火器に組み込むことの容易さのために好ましいが、しかし、他の形状および構成は、本発明のロック式安全機構が使用される小火器の全体的な構成に依存して、本発明の範囲内であり、そして当業者に明らかである。
【００２９】
図において示されるように、安全装置ボタンの好ましい実施形態はさらに、横軸方向の位置インジケーター３から構成され、好ましい実施形態においてこのインジケーター３は、ボタンの一端（代表的に赤で塗られている）における垂直帯から構成される。好ましい横軸方向の位置インジケーターを形成する赤垂直帯は、安全装置ボタンが、第１の横軸方向の位置に有る（好ましくは、安全装置ボタンが移動から引き金を防がない発砲位置）場合、小火器の操縦者に見えるように配置され得る。
【００３０】
本発明の安全機構の好ましい実施形態において、この安全装置ボタンはさらに、図４および図１１に示される回転式位置インジケーター６０から構成される。回転式位置インジケーター６０の代替の実施形態は、図１３において示され、図４および図１１において示される実施形態のようにボタンの対辺上にある。図４および１１に示される実施形態は、操縦者が鍵を挿入し、かつボタンを回転するように操縦者によって見ることができるので特に好ましい。この回転式位置インジケーターは、小火器が安全かつロックされた位置にあるか否かを決定するために小火器の操縦者によって見ることができる。
【００３１】
図１３〜１６において示される鍵５０の実施形態は、好ましいロック手段が、ロック開口部のメス受容端に挿入するために適合したことを示す。他のロック手段は、ワイヤーまたはロッドおよびブレードを含み得る。広範種々なロック手段が使用され得るが、鍵が好ましい。この鍵は、移動止めプランジャーがプランジャー開口部内に位置される場合、移動止めプランジャー２０と相互作用するように配置されるように、ロック開口部に十分な距離で伸長しているロック開口部への挿入のために適用される。この好ましい鍵は、図１３、１４および１６に示されるように傾斜した先端部を有する。この傾斜した先端部は、この鍵が、ロック開口部に完全に挿入される場合、プランジャーを安全装置ボタンから離し、そしてプランジャー開口部の外側に押し、そして安全装置ボタンを安全位置に対して安全かつロックされた位置の外側で回転することを可能にして移動止めプランジャーと相互作用するように適合される。
【００３２】
鍵は、図に示したように種々のハンドルから構成され得る。このハンドルとしては、図１４〜１６に示したフラットハンドルおよび図１３に示した円筒形ハンドルが挙げられる。
【００３３】
鍵は薄い断面を有するように高いねじれ強度を有することおよびコピーするのが難しい鍵を作製することが好ましい。薄い鍵はまた、ペーパークリップおよび安全機構を「ピッキングする（こじあける）」ために使用される他の容易に入手可能な物品の使用をやめさせる。ねじれ強度を与える多くの公知の手段が使用され得、これは適切な材料を選択することを包含する。さらに、鍵は、そのねじれ強度を増加するように構成され得る。例えば、鍵は、曲げられた一片の金属から形成され得、この曲げは、剛性およびねじれ強度を提供する。図に示されるように、好ましい鍵は、「ｊ」字型の断面を有し得、これは、高いねじれ強度を有する鍵を提供する一つの可能な方法を示す。他の断面の構成もまた、当業者に明かなように鍵にねじれ強度を与える。
【００３４】
本発明の安全機構の種々の実施形態は、手動操作作動、ガス操作作動および反動操作作動を有する小火器を含み、そしてライフル、ショットガンおよび拳銃を含む幅広い種々の小火器に小さな改変とともに適用可能である。
【図面の簡単な説明】
【図１】図１は、発砲位置における安全機構を有する本発明の安全機構を有する小火器の断片化した側面図である。
【図２】図２は、図１の小火器の底面図である。
【図３】図３は、安全かつロックされた位置における安全機構を有する図１の安全機構の断片化した側面図である。
【図４】図４は、本発明の安全機構の第１の実施形態の安全装置ボタンの等角図である。
【図５】図５は、安全装置ボタンが、図１において示される発砲位置にある場合の、想像図において移動止めプランジャーの位置を示す図２において示される安全装置ボタンの底面図である。
【図６】図６は、図４および図５の安全装置ボタンの左端平面図である。
【図７】図７は、受容切欠きを示す図４の安全装置ボタンの底面図である。
【図８】図８は、図４〜７の安全装置ボタンの右側平面図である。
【図９】図９は、図７のライン９−９に沿った平面図における断面図である。
【図１０】図１０は、図４〜７の安全装置ボタンの左側平面図である。
【図１１】図１１は、図４〜７の安全装置ボタンの右端平面図である。
【図１２】図１２は、図１０のライン１２−１２沿った断面図である。
【図１３】図１３は、本発明の好ましい安全機構の主要な要素を示す本発明の安全機構の第２の実施形態の分解図である。
【図１４】図１４は、本発明のロック手段、すなわち鍵の前面図である。
【図１５】図１５は、図１４の平面図である。
【図１６】図１６は、図１４〜１５の断片的な後面図である。
【図１７】図１７は、断面において安全装置ボタンを示す図４〜７および図１３の安全機構の断片化した側面図である。
【図１】
0003625282.tif 000002
【図２】
0003625282.tif 000003
【図３】
0003625282.tif 000004
【図４】
0003625282.tif 000005
【図５】
0003625282.tif 000006
【図６】
0003625282.tif 000007
【図７】
0003625282.tif 000008
【図８】
0003625282.tif 000009
【図９】
0003625282.tif 000010
【図１０】
0003625282.tif 000011
【図１１】
0003625282.tif 000012
【図１２】
0003625282.tif 000013
【図１３】
0003625282.tif 000014
【図１４】
0003625282.tif 000015
【図１５】
0003625282.tif 000016
【図１６】
0003625282.tif 000017
【図１７】
0003625282.tif 000018